(57)【要約】【課題】従来の空気調和機においては、暖房運転の圧縮機起動時に停止室内ユニットにも冷媒が流れて放熱し暖房立ち上がり時の凝縮温度上昇の妨げとなる。また、設置状況例えば室内ユニットの室外ユニットからの遠近の違いによる冷凍機油の溜まり込み易さや室内ユニット間高低差による冷凍機油の溜まり込み易さが考慮できず一律で膨張弁開度補正を行うという課題を有していた。【解決手段】室内ユニット０２ｎの膨張弁開度調整で冷凍機油を回収するオイル戻し制御を、一斉調整と順次個別調整のいずれかから選択設定を可能にすることにより、設置状況や使用状況に応じたオイル戻し制御で圧縮機内の冷凍機油を圧縮機が故障することのない量を確保することができる。【選択図】図２
2007285559.tif 000002
【特許請求の範囲】
【請求項１】
１台の室外ユニットと、前記室外ユニットに接続された複数台の室内ユニットを有し、前記室内ユニットには冷媒回路に室内膨張弁を備えた多室形空気調和装置において、暖房運転時に冷凍機油回収の必要時間が経過したかを判定する回収必要圧縮機運転時間算出手段と、前記回収必要圧縮機運転時間経過時に室内膨張弁開度調整により冷凍機油を回収するオイル戻し制御を備え、前記オイル戻し制御中の個々室内ユニットの膨張弁開度調整を一斉調整と順次個別調整のいずれかから選択設定可能にしたことを特徴とする多室形空気調和機。
【請求項２】
オイル戻し制御中の個々室内ユニットの膨張弁開度調整を順次個別調整に設定した時、個別調整順序を自動設定と手動設定のいずれかから選択設定可能にしたことを特徴とする請求項１に記載の多室形空気調和機。
【請求項３】
室内熱交温度検知手段と、冷房運転時に前記室内熱交温度検知温度から算出する室外ユニットから室内ユニットの遠さ順序算出手段を備え、オイル戻し制御中の個々室内ユニットの膨張弁開度調整を順次個別調整に設定し個別調整順序を自動設定にした時、前記遠さ順序算出手段で算出した最遠室内ユニットから遠い室内ユニット順に順次個別調整することを特徴とする請求項１又は請求項２に記載の多室形空気調和機。
【請求項４】
室内ユニットに前回のオイル戻し制御から今回のオイル戻し制御までの室外ユニット暖房運転時のサーモオフ累積時間算出手段及び停止累積時間算出手段を備え、前記オイル戻し制御が作動中の個々室内ユニットの膨張弁開度調整を順次個別調整に設定して個別調整順序を自動設定にしたとき、サーモオフ累積時間と停止累積時間の合計値が多い室内ユニットから順次個別調整することを特徴とする請求項１又は請求項２に記載の多室形空気調和機。
【請求項５】
地面から室内ユニットの高低差により高さ順位を手動設定する機能を備え、オイル戻し制御が作動中の個々室内ユニットの膨張弁開度調整を順次個別調整に設定して個別調整順序を手動設定にしたとき、前記高さ順位の低い室内ユニットより順次個別調整することを特徴とする請求項１又は請求項２に記載の多室形空気調和機。
【発明の詳細な説明】
【技術分野】
【０００１】
本発明は、複数台の室内ユニットを接続して冷凍サイクルを構成し、暖房又は冷房運転を行う多室形空気調和機に関するものである。
【背景技術】
【０００２】
従来、この種の空気調和機は、停止室内ユニットがある暖房運転の圧縮機起動時に、圧縮機シェル温度に基づき圧縮機からの冷凍機油の持ち出し量の多い少ないを判定し、持ち出し量が多いと判定したとき停止室内ユニットの膨張弁開度を補正するといったものがあった（例えば、特許文献１参照）。
【０００３】
図１０のフローチャートは、特許文献１に記載された従来の多室形空気調和機を示すものである。図１０に示すように、暖房１台運転で圧縮機が起動（Ｓ１０１）したとき停止室内機の電動膨張弁開度を所定開度より大きくし（Ｓ１０２）、圧縮機シェル温度が所定の温度超かの判定を行い（Ｓ１０３）所定温度以下であれば電動膨張弁開度を所定開度より大きくし（Ｓ１０２）、所定温度超であれば停止室内機の電動膨張弁開度を所定値にする（Ｓ１０４）。
【特許文献１】特開２００３−２８７３１２号公報
【発明の開示】
【発明が解決しようとする課題】
【０００４】
しかしながら、前記従来の構成では、暖房運転の圧縮機起動時に停止室内ユニットにも冷媒が流れて放熱し暖房立ち上がり時の凝縮温度上昇の妨げとなる。また、設置状況例えば室内ユニットの室外ユニットからの遠近の違いによる冷凍機油の溜まり込み易さや室内ユニット間高低差による冷凍機油の溜まり込み易さが考慮できず一律で膨張弁開度補正を行うという課題を有していた。
【０００５】
本発明は、前記従来の課題を解決するもので、室内ユニットの膨張弁開度調整で冷凍機油を回収するオイル戻し制御を、一斉調整と順次個別調整のいずれかから選択設定を可能にすることにより、設置状況や使用状況に応じたオイル戻し制御で圧縮機内の冷凍機油を圧縮機が故障することのない量を確保することが可能な空気調和機を提供することを目的とする。
【０００６】
また、室内ユニットの膨張弁開度調整で冷凍機油を回収するオイル戻し制御を順次個別調整に設定した時、個別調整順序を自動設定と手動設定のいずれかから選択設定可能にすることにより、特異な設置状況においても急激な凝縮温度変動による暖房運転の吹出し空気温度変動を少なくして、圧縮機内の冷凍機油を圧縮機が故障することのない量を確保することが可能な空気調和機を提供することを目的とする。
【０００７】
また、室内ユニットの膨張弁開度調整で冷凍機油を回収するオイル戻し制御を順次個別調整に設定し個別調整順序を自動設定にしたとき、冷房運転時の室内熱交温度により室外ユニットから室内ユニットの遠さ順序を算出し最遠室内ユニットから遠い室内ユニット順に順次個別調整することにより、設置状況上冷媒が溜まり易い室内ユニットから順次冷凍機油を回収し、圧縮機内の冷凍機油を圧縮機が故障することのない量を確保することが可能な空気調和機を提供することを目的とする。
【０００８】
また、室内ユニットの膨張弁開度調整で冷凍機油を回収するオイル戻し制御を順次個別調整に設定し個別調整順序を自動設定にしたとき、停止累積時間の多い室内ユニットから
順次個別調整することにより、使用状況上冷媒が溜まり易い室内ユニットから順次冷凍機油を回収し、圧縮機内の冷凍機油を圧縮機が故障することのない量を確保することが可能な空気調和機を提供することを目的とする。
【０００９】
また、室内ユニットの膨張弁開度調整で冷凍機油を回収するオイル戻し制御を順次個別調整に設定し個別調整順序を手動設定にしたとき、地面から室内ユニットの高さが低い順に手動設定することにより、設置状況上冷媒が溜まり易い室内ユニットから順次冷凍機油を回収し、圧縮機内の冷凍機油を圧縮機が故障することのない量を確保することが可能な空気調和機を提供することを目的とする。
【課題を解決するための手段】
【００１０】
前記従来の課題を解決するために、本発明の空気調和機における第１の発明は、１台の室外ユニットと、前記室外ユニットに接続された複数台の室内ユニットを有し、前記室内ユニットには冷媒回路に設けた室内膨張弁を備えた多室形空気調和装置において、暖房運転時に冷凍機油回収の必要時間が経過したかを判定する回収必要圧縮機運転時間算出手段と、前記回収必要圧縮機運転時間経過時に室内膨張弁開度調整により冷凍機油を回収するオイル戻し制御を備え、前記オイル戻し制御中の個々室内ユニットの膨張弁開度調整を一斉調整と順次個別調整のいずれかから選択設定可能にしたものである。
【００１１】
これによって、暖房運転時に冷凍機油回収の必要時間が経過したときのオイル戻し制御の室内膨張弁開度調整を、一斉調整と順次個別調整のいずれかから設置状況や使用状況に応じて選択設定でき設置状況や使用状況に応じたオイル戻し制御で圧縮機内の冷凍機油を圧縮機が故障することのない量を確保することができる。
【００１２】
第２の発明は、前記オイル戻し制御中の個々室内ユニットの膨張弁開度調整を順次個別調整に設定した時個別調整順序を自動設定と手動設定のいずれかから選択設定可能にしたものである。これにより、暖房運転時に冷凍機油回収の必要時間が経過したときのオイル戻し制御の室内膨張弁開度調整を、個別調整順序を自動設定と手動設定のいずれかから選択設定でき、特異な設置状況においても急激な凝縮温度変動による暖房運転の吹出し空気温度変動を少なくして、圧縮機内の冷凍機油を圧縮機が故障することのない量確保することができる。
【００１３】
第３の発明は、冷房運転時室内熱交温度検知手段と、前記室内熱交温度検知温度から算出する室外ユニットから室内ユニットの遠さ順序算出手段を備え、前記オイル戻し制御中の個々室内ユニットの膨張弁開度調整を順次個別調整に設定し個別調整順序を自動設定にしたとき、前記室外ユニットから室内ユニットの遠さ順序算出手段で算出した最遠室内ユニットから遠い室内ユニット順に順次個別調整するものである。これにより、暖房運転時に冷凍機油回収の必要時間が経過したときのオイル戻し制御の室内膨張弁開度調整を、設置状況上冷媒が溜まり易い室内ユニットから順次冷凍機油を回収し、圧縮機内の冷凍機油を圧縮機が故障することのない量確保することができる。
【００１４】
第４の発明は、室内ユニットに前回の前記オイル戻し制御から今回のオイル戻し制御までの室外ユニット暖房運転時サーモオフ累積時間及び停止累積時間算出手段を備え、前記オイル戻し制御中の個々室内ユニットの膨張弁開度調整を順次個別調整に設定し個別調整順序を自動設定にしたとき、サーモオフ累積時間と停止累積時間の合計値が多い室内ユニットから順次個別調整ものである。これにより、暖房運転時に冷凍機油回収の必要時間が経過したときのオイル戻し制御の室内膨張弁開度調整を、使用状況上冷媒が溜まり易い室内ユニットから順次冷凍機油を回収し、圧縮機内の冷凍機油を圧縮機が故障することのない量確保することができる。
【００１５】
第５の発明は、地面から室内ユニットの高低差により高さ順位を手動設定する機能を備え、前記オイル戻し制御中の個々室内ユニットの膨張弁開度調整を順次個別調整に設定し個別調整順序を手動設定にしたとき、前記高さ順位の低い室内ユニットより順次個別調整ものである。これにより、暖房運転時に冷凍機油回収の必要時間が経過したときのオイル戻し制御の室内膨張弁開度調整を、設置状況上冷媒が溜まり易い室内ユニットから順次冷凍機油を回収し、圧縮機内の冷凍機油を圧縮機が故障することのない量確保することができる。
【発明の効果】
【００１６】
本発明の空気調和機は、暖房運転時に冷凍機油回収の必要時間が経過したときのオイル戻し制御の室内膨張弁開度調整を、一斉調整と順次個別調整のいずれかから設置状況や使用状況に応じて選択設定でき設置状況や使用状況に応じたオイル戻し制御で圧縮機内の冷凍機油を圧縮機が故障することのない量確保することができる。
【発明を実施するための最良の形態】
【００１７】
以下、本発明の実施の形態について、図面を参照しながら説明する。なお、この実施の形態によって本発明が限定されるものではない。
【００１８】
（実施の形態１）
図１は、本発明の実施の形態における空気調和装置の構成模式図である。図１において、室外ユニット０１には室内ユニットが複数台０２ａ、０２ｂ、０２ｃ、・・・０２ｎ（ｎは任意で、以降の説明においても同様とする）と接続され、それぞれの室内ユニット０２ｎには、室内膨張弁０３ｎを各々装着しており、また、室内熱交温度検知器手段０４ｎを各々装着している。
【００１９】
上記冷凍サイクルにおいて、暖房運転時室外ユニット０１から冷媒は複数台の室内ユニット０２ｎへ流れ室外ユニット０１へ戻る。各々室内ユニット０２ｎは個別運転可能であり、各々室内ユニット０２ｎにおいてサーモオフ時または停止時は室内膨張弁０３ａは停止時室内膨張弁開度を維持するよう制御している。
【００２０】
図２は実施の形態１における空気調和装置のフローチャート図である。図２により本発明の第２の実施の形態における空気調和機の動作、作用について説明する。
【００２１】
運転開始すれば（ＳＴＥＰ０）、運転モード判定（ＳＴＥＰ１）で運転モードを判定し、運転モードが暖房運転であれば、運転時間カウントＴｃ（ＳＴＥＰ２）を行う。運転時間カウントＴｃが冷凍機油回収必要圧縮機運転累計時間Ｔｏ以上になればオイル戻し制御選択を判定（ＳＴＥＰ４）し、一斉調整設定であれば（ＳＴＥＰ４のＹｅｓ）接続全室内ユニット一斉室内膨張弁調整オイル戻し制御（ＳＴＥＰ５）を行い、一斉調整設定でなければ（ＳＴＥＰ４のＮｏ）接続室内ユニット順次個別室内膨張弁調整オイル戻し制御（ＳＴＥＰ６）を行う。
【００２２】
上記のことより、暖房運転時に冷凍機油回収の必要時間が経過したときのオイル戻し制御の室内膨張弁開度調整を、一斉調整と順次個別調整のいずれかから設置状況や使用状況に応じて選択設定でき設置状況や使用状況に応じたオイル戻し制御で圧縮機内の冷凍機油を圧縮機が故障することのない量を確保することができる。
【００２３】
（実施の形態２）
図３は、本発明の第２の実施の形態における空気調和機のフローチャートである。図３において、図２と同じ構成要素については同じ符号を用い説明を省略する。図３により本発明の第２の実施の形態における空気調和機の動作、作用について説明する。
【００２４】
接続室内ユニット順次個別室内膨張弁調整（ＳＴＥＰ１６）を選択設定したとき順次個別室内膨張弁調整順序判定（ＳＴＥＰ１７）し順次個別室内膨張弁調整順序判定が自動であれば（ＳＴＥＰ１７のＹｅｓ）接続室内ユニット順次個別室内膨張弁調整順序自動オイル戻し制御（ＳＴＥＰ１８）を行い、順次個別室内膨張弁調整順序判定が自動でなければ（ＳＴＥＰ１７のＮｏ）接続室内ユニット順次個別室内膨張弁調整順序手動オイル戻し制御（ＳＴＥＰ１９）を行う。
【００２５】
上記のことより、これにより、暖房運転時に冷凍機油回収の必要時間が経過したときのオイル戻し制御の室内膨張弁開度調整を、個別調整順序を自動設定と手動設定のいずれかから選択設定でき、特異な設置状況においても急激な凝縮温度変動による暖房運転の吹出し空気温度変動を少なくして、圧縮機内の冷凍機油を圧縮機が故障することのない量を確保することができる。
【００２６】
（実施の形態３）
図４及び図５は、本発明の第３の実施の形態における空気調和機のフローチャートである。図４においては冷房運転時に室外ユニットから室内ユニットの遠さ順序を算出して記憶する制御を示し、図５においては暖房運転時にその遠さ順序の記憶を元に行うオイル戻し制御を示すものである。
【００２７】
まず図４において、運転開始すれば（ＳＴＥＰ０）、運転モード判定（ＳＴＥＰ２１）で運転モードを判定し、運転モードが冷房運転であれば（ＳＴＥＰ２１のＹｅｓ）、接続室内ユニット全室運転判定（ＳＴＥＰ２２）で運転室内ユニット判定し、全室運転（ＳＴＥＰ２２のＹｅｓ）であれば、室内熱交検知手段（ＳＴＥＰ２３）で検知した温度により、室外ユニットからの室内ユニット遠さ順序算出手段（ＳＴＥＰ２４）で各々室内ユニットの遠さ順序を遠さ順序記憶（ＳＴＥＰ２５）に記憶する。
【００２８】
次に図５において、運転開始すれば（ＳＴＥＰ０）、運転モード判定（ＳＴＥＰ１）で運転モードを判定し、運転モードが暖房運転であれば、運転時間カウントＴｃ（ＳＴＥＰ２）を行う。運転時間カウントＴｃが冷凍機油回収必要圧縮機運転累計時間Ｔｏ以上になれば（ＳＴＥＰ３のＹｅｓ）、遠さ順序記憶判定（ＳＴＥＰ２６）を行い、遠さ順序記憶がなければ（ＳＴＥＰ２６のＮｏ）接続全室内ユニット一斉室内膨張弁調整オイル戻し制御（ＳＴＥＰ５）を行う。遠さ順序記憶があれば（ＳＴＥＰ２６のＹｅｓ）、オイル戻し制御選択を判定（ＳＴＥＰ４）し、一斉調整設定であれば（ＳＴＥＰ４のＹｅｓ）接続全室内ユニット一斉室内膨張弁調整オイル戻し制御（ＳＴＥＰ５）を行い、一斉調整設定でなければ（ＳＴＥＰ４のＮｏ）接続室内ユニット順次個別室内膨張弁調整（ＳＴＥＰ１６）を選択設定したときと判断して順次個別室内膨張弁調整順序判定（ＳＴＥＰ１７）し順次個別室内膨張弁調整順序判定が順次個別室内膨張弁調整順序判定が自動でなければ（ＳＴＥＰ１７のＮｏ）接続室内ユニット順次個別室内膨張弁調整順序手動オイル戻し制御（ＳＴＥＰ１９）を行う。自動であれば（ＳＴＥＰ１７のＹｅｓ）接続室内ユニット順次個別室内膨張弁調整順序自動オイル戻し制御（ＳＴＥＰ１８）を行い、順次個別室内膨張弁調整順序判定が自動でなければ（ＳＴＥＰ１７のＮｏ）接続室内ユニット順次個別室内膨張弁調整順序手動オイル戻し制御（ＳＴＥＰ１９）を行う。順次個別室内膨張弁調整順序判定が順次個別室内膨張弁調整順序判定が自動であれば（ＳＴＥＰ１７のＹｅｓ）遠さ順序記憶（ＳＴＥＰ２５）に従い、最遠室内機より順次接続室内ユニット順次個別室内膨張弁調整順序自動オイル戻し制御（ＳＴＥＰ２８）を行う。
【００２９】
上記のことより、暖房運転時に冷凍機油回収の必要時間が経過したときのオイル戻し制御の室内膨張弁開度調整を、設置状況上冷媒が溜まり易い室内ユニットから順次冷凍機油を回収し、圧縮機内の冷凍機油を圧縮機が故障することのない量を確保することができる
。
【００３０】
（実施の形態４）
図６及び図７は、本発明の第４の実施の形態における空気調和機のフローチャートである。図６においては、サーモオフ及び停止累積時間が長い室内ユニット順序を記憶又はリセットする制御を示し、図７においては、その記憶を元に行うオイル戻し制御を示すものである。
【００３１】
まず図６において、運転開始すれば（ＳＴＥＰ０）、運転モード判定（ＳＴＥＰ１）で運転モードを判定し、運転モードが暖房運転であれば（ＳＴＥＰ１のＹｅｓ）、各室内ユニットにおいて室内ユニットサーモオフ累積時間カウントＴｃ（ＳＴＥＰ３１ｎ）、室内ユニット停止累積時間カウントＴｃ（ＳＴＥＰ３２ｎ）を行い、室内ユニットサーモオフ・停止累積時間合計値算出手段（ＳＴＥＰ３３ｎ）で室内ユニットサーモオフ・停止累積時間合計値を算出する。算出した各室内ユニットサーモオフ・停止累積時間合計値に基づきサーモオフ・停止累積時間長い室内ユニット順序記憶（ＳＴＥＰ３４）を行う。オイル戻し制御突入判断（ＳＴＥＰ３５）により突入判断すれば（ＳＴＥＰ３５のＹｅｓ）各室内ユニットの累積時間をリセット（ＳＴＥＰ３６ｎ）し、サーモオフ・停止累積時間長い室内ユニット順序記憶もリセット（ＳＴＥＰ３７）する。
【００３２】
次に図７において、図２または図３と同じ構成要素については同じ符号を用い説明を省略する。接続室内ユニット順次個別室内膨張弁調整（ＳＴＥＰ１６）を選択設定したとき順次個別室内膨張弁調整順序判定（ＳＴＥＰ１７）し、順次個別室内膨張弁調整順序判定が自動でなければ（ＳＴＥＰ１７のＮｏ）接続室内ユニット順次個別室内膨張弁調整順序手動オイル戻し制御（ＳＴＥＰ１９）を行う。順次個別室内膨張弁調整順序判定が自動であれば（ＳＴＥＰ１７のＹｅｓ）、サーモオフ・停止累積時間長い室内ユニット順序記憶（ＳＴＥＰ３４）に基づきサーモオフ・停止累積時間長い室内ユニット順序から順次順次個別室内膨張弁調整順序自動オイル戻し制御を行う。
【００３３】
上記のことより、暖房運転時に冷凍機油回収の必要時間が経過したときのオイル戻し制御の室内膨張弁開度調整を、使用状況上冷媒が溜まり易い室内ユニットから順次冷凍機油を回収し、圧縮機内の冷凍機油を圧縮機が故障することのない量を確保することができる。
【００３４】
（実施の形態５）
図８は、本発明の第５の実施の形態における空気調和機の構成模式図である。図８において室内ユニット高さ順位設定手段４１ｎは各室内ユニット０２ｎに有している。図９は、本発明の第５の実施の形態における空気調和機のフローチャートである。
【００３５】
図９において、図２または図３と同じ構成要素については同じ符号を用い説明を省略する。接続室内ユニット順次個別室内膨張弁調整（ＳＴＥＰ１６）を選択設定したとき順次個別室内膨張弁調整順序判定（ＳＴＥＰ１７）し、順次個別室内膨張弁調整順序判定が自動であれば（ＳＴＥＰ１７のＹｅｓ）接続室内ユニット順次個別室内膨張弁調整順序自動オイル戻し制御（ＳＴＥＰ１８）を行う。順次個別室内膨張弁調整順序判定が自動でなければ（ＳＴＥＰ１７のＮｏ）室内ユニット高さ順位設定手段４１ｎによって設定された室内ユニット高さ順序低い順から順次個別室内膨張弁調整（ＳＴＥＰ４２）し接続室内ユニット順次個別室内膨張弁調整順序手動オイル戻し制御（ＳＴＥＰ１９）を行う。
【００３６】
上記のことより、暖房運転時に冷凍機油回収の必要時間が経過したときのオイル戻し制御の室内膨張弁開度調整を、設置状況上冷媒が溜まり易い室内ユニットから順次冷凍機油を回収し、圧縮機内の冷凍機油を圧縮機が故障することのない量を確保することができる
。
【産業上の利用可能性】
【００３７】
以上のように、本発明にかかる空気調和機は、室内ユニットの膨張弁開度調整で冷凍機油を回収するオイル戻し制御を、一斉調整と順次個別調整のいずれかから選択設定を可能にすることにより、設置状況や使用状況に応じたオイル戻し制御で圧縮機内の冷凍機油を圧縮機が故障することのない量確保しているので、蓄熱式多室形空気調和機等にも適用できる。
【図面の簡単な説明】
【００３８】
【図１】本発明の実施の形態における空気調和機の構成模式図
【図２】本発明の実施の形態１における空気調和機のフローチャート
【図３】本発明の実施の形態２における空気調和機のフローチャート
【図４】本発明の実施の形態３における空気調和機のフローチャート
【図５】本発明の実施の形態３における空気調和機のフローチャート
【図６】本発明の実施の形態４における空気調和機のフローチャート
【図７】本発明の実施の形態４における空気調和機のフローチャート
【図８】本発明の実施の形態５における空気調和機のフローチャート
【図９】本発明の実施の形態５における空気調和機のフローチャート
【図１０】従来の空気調和機のフローチャート
【符号の説明】
【００３９】
０１  室外ユニット
０２ｎ  室内ユニット
０３ｎ  室内膨張弁
０４ｎ  室内熱交温度検知器手段
４１ｎ  室内ユニット高さ順位設定手段
ＳＴＥＰ０  運転開始
ＳＴＥＰ１  運転モード判定
ＳＴＥＰ２  運転時間カウント
ＳＴＥＰ３  回収必要圧縮機運転累積時間判定
ＳＴＥＰ４  オイル戻し制御選択判定
ＳＴＥＰ５  一斉室内膨張弁調整オイル戻し制御
ＳＴＥＰ６  個別室内膨張弁調整オイル戻し制御
【図１】
2007285559.tif 000003
【図２】
2007285559.tif 000004
【図３】
2007285559.tif 000005
【図４】
2007285559.tif 000006
【図５】
2007285559.tif 000007
【図６】
2007285559.tif 000008
【図７】
2007285559.tif 000009
【図８】
2007285559.tif 000010
【図９】
2007285559.tif 000011
【図１０】
2007285559.tif 000012